(57)【特許請求の範囲】
【請求項１】
肥料であって、
粒径が３２５ミリメートルより小さい硫酸カルシウム顆粒と、
分散剤と、
少なくとも１つの菌粉を含み、
そのうち、前記少なくとも１つの菌粉はリン溶解菌であり、前記リン溶解菌はバチルスサフェンシス菌（Ｂａｃｉｌｌｕｓ ｓａｆｅｎｓｉｓ）または枯草菌（Ｂａｃｉｌｌｕｓ ｓｕｂｔｉｌｉｓ）であり、前記バチルスサフェンシス菌（Ｂａｃｉｌｌｕｓ ｓａｆｅｎｓｉｓ）の１６Ｓ ｒＤＮＡ配列は配列表ＳＥＱ ＩＤ ＮＯ．１に記載された配列であり、前記枯草菌（Ｂａｃｉｌｌｕｓ ｓｕｂｔｉｌｉｓ）の１６Ｓ ｒＤＮＡ配列は配列表ＳＥＱ ＩＤ ＮＯ．２に記載された配列であり、前記硫酸カルシウム顆粒、前記分散剤、前記少なくとも１つの菌粉が均一に混合されることを特徴とする、肥料。
【請求項２】
前記分散剤がリグニンスルホン酸類分散剤であることを特徴とする、請求項１に記載の肥料。
【請求項３】
肥料の施用方法であって、
（ａ１） 第１植物体を生育する工程と、
（ａ２） 泥炭土を入れた鉢の中に前記第１植物体を定植する工程と、
（ａ３） 元肥を施用する工程と、
（ａ４） 請求項１乃至２に記載の肥料を施用する工程と、
を含むことを特徴とする、肥料の施用方法。
【請求項４】
前記第１植物体がアブラナ属（Ｂｒａｓｓｉｃａ）の植物体であることを特徴とする、請求項３に記載の肥料の施用方法。
【請求項５】
前記アブラナ属（Ｂｒａｓｓｉｃａ）の植物体が小松菜（Ｂｒａｓｓｉｃａ  ｒａｐａ  ｃｈｉｎｅｎｓｉｓ）であることを特徴とする、請求項４に記載の肥料の施用方法。
【請求項６】
工程（ａ３）が、前記元肥を水で２０００倍に希釈した後、１００ミリリットルを前記各鉢に施用することを特徴とする、請求項３に記載の肥料の施用方法。
【請求項７】
肥料の施用方法であって、
（ｂ１） 第２植物体を生育する工程と、
（ｂ２） 請求項１乃至２の肥料を田畑土壌にすき込む工程と、
（ｂ３） 前記第２植物体を前記田畑土壌に定植する工程と、
を含むことを特徴とする、肥料の施用方法。
【請求項８】
前記第２植物体がナス属（Ｓｏｌａｎｕｍ）の植物体であることを特徴とする、請求項７に記載の肥料の施用方法。
【請求項９】
前記ナス属（Ｓｏｌａｎｕｍ）の植物体がトマト（Ｓｏｌａｎｕｍ  ｌｙｃｏｐｅｒｓｉｃｕｍ）であることを特徴とする、請求項８に記載の肥料の施用方法。
【請求項１０】
工程（ｂ３）の定植の２日後に、さらに第１追肥を施すことを特徴とする、請求項７に記載の肥料の施用方法。
【請求項１１】
肥料の施用方法であって、
（ｃ１） 温室設備を設置した畑に元肥を施す工程と、
（ｃ２） 前記畑に第３植物体を播種する工程と、
（ｃ３） 前記第３植物体の発芽前に１回請求項１乃至２の肥料を施す工程と、
（ｃ４） 前記第３植物体の生長期に第２追肥を施す工程と、
を含むことを特徴とする、肥料の施用方法。
【請求項１２】
前記第３植物体が空心菜（Ｉｐｏｍｏｅａ  ａｑｕａｔｉｃａ）であることを特徴とする、請求項１１に記載の肥料の施用方法。
【発明の詳細な説明】
【技術分野】
【０００１】
本発明は肥料及びその施用方法に関し、特に、硫酸カルシウム顆粒、分散剤、少なくとも１つの菌粉を含む肥料及びその施用方法に関する。
【背景技術】
【０００２】
肥料の使用は農業の発展において重要な役割を果たしており、適度で正確な肥料の使用は、作物の生長を助ける。その内容物は窒素、燐、カリウムなどの主要生長元素と、マグネシウム、カルシウム、硫黄などの微量元素とすることができる。
【０００３】
アジア地域の現況をみると、ナス科またはマメ科の植物等の主要食用作物は多くが好石灰植物である。このほか、一部の葉菜類の食用作物も良好な発育を促し、栄養不良で根茎葉の発育不全や黄色くなる状況の発生を回避するためには比較的多くのカルシウムおよび硫黄元素を必要とする。
【０００４】
このため、作物のこれら微量元素の利用率をどのように効果的に高めるかが現在の課題である。従来これら微量元素の補充には、多くの人がカルシウムまたはマグネシウムを含む炭酸塩類、酸化物と水酸化物（石灰石、苦灰石及びそのか焼産物を含む）を普通のカルシウム肥料として利用しているが、その効果は期待されるほど顕著ではない。
【発明の概要】
【発明が解決しようとする課題】
【０００５】
本発明の目的は、先行技術の課題を解決することができる、肥料及びその施用方法を提供することにある。
【課題を解決するための手段】
【０００６】
本発明の肥料は、硫酸カルシウム顆粒、分散剤、少なくとも１つの菌粉を含む。そのうち、前記硫酸カルシウム顆粒の粒径は３２５ミリメートルで、前記硫酸カルシウム顆粒、分散剤、少なくとも１つの菌粉は均一に混合される。
【０００７】
このほか、本発明の一実施例は肥料の施用方法を提供する。本発明の肥料の施用方法は、まず、第１植物体を生育する工程（ａ１）を実行し、続いて、泥炭土を入れた鉢に前記第１植物体を定植する工程（ａ２）を実行し、さらに元肥を施用する工程（ａ３）を実行し、最後に、前述の前記肥料を施用する工程（ａ４）を実行する。
【０００８】
本発明の別の実施例において、別の肥料の施用方法を提供する。この肥料の施用方法は、まず、第２植物体を生育する工程（ｂ１）を実行し、続いて、前述の前記肥料を田畑土壌にすき込む工程（ｂ２）を実行し、最後に前記第２植物体を前記田畑土壌に定植する工程（ｂ３）を実行する。
【０００９】
最後に本発明のさらに別の実施例において、別の肥料の施用方法を提供する。この肥料の施用方法は、まず、温室設備を設置した畑に元肥を施す工程（ｃ１）を実行し、続いて、前記畑に第３植物体を播種する工程（ｃ２）を実行し、さらに、前記第３植物体の発芽前に１回前述の前記肥料を施す工程（ｃ３）を実行し、最後に前記第３植物体の生長期に第２追肥を施す工程（ｃ４）を実行する。
【図面の簡単な説明】
【００１０】
【図１】本発明の施用方法の工程を示すフローチャートである。
【図２】本発明の別の施用方法の工程を示すフローチャートである。
【図３】本発明のさらに別の施用方法の工程を示すフローチャートである。
【図４】本発明の試験結果を示す写真である。
【図５】本発明の別の試験結果を示す写真である。
【発明を実施するための形態】
【００１１】
本発明の技術的特徴及び実用性について理解できるように、かつ明細書の内容に従って実施することができるように、図面に示す最良の実施例を参照しながら、以下で詳細に説明する。
【００１２】
本実施例は肥料を提供する。前記肥料は硫酸カルシウム顆粒、分散剤、少なくとも１つの菌粉を含む。そのうち、硫酸カルシウム顆粒の粒径は３２５ミリメートルより小さく、かつ前記硫酸カルシウム顆粒、分散剤、少なくとも１つの菌粉は均一に混合される。
【００１３】
前記分散剤はリグニンスルホン酸類の分散剤であり、少なくとも１つの菌粉はリン溶解菌である。さらに説明すると、リン溶解菌は本実施例において、バチルスサフェンシス菌（Ｂａｃｉｌｌｕｓ  ｓａｆｅｎｓｉｓ）または枯草菌（Ｂａｃｉｌｌｕｓ  ｓｕｂｔｉｌｉｓ）とすることができ、かつ前記バチルスサフェンシス菌（Ｂａｃｉｌｌｕｓ  ｓａｆｅｎｓｉｓ）の１６Ｓ  ｒＤＮＡ配列はＳＥＱ  ＩＤ  ＮＯ．１に記載された配列であり、前記枯草菌（Ｂａｃｉｌｌｕｓ  ｓｕｂｔｉｌｉｓ）の１６Ｓ  ｒＤＮＡ配列は配列表ＳＥＱ  ＩＤ  ＮＯ．２に記載された配列である。
【００１４】
前記バチルスサフェンシス菌（Ｂａｃｉｌｌｕｓ  ｓａｆｅｎｓｉｓ）及び前記枯草菌（Ｂａｃｉｌｌｕｓ  ｓｕｂｔｉｌｉｓ）は、特許微生物寄託についての段落において選用されている微生物とすることができ、そのうち、前記バチルスサフェンシス菌（Ｂａｃｉｌｌｕｓ  ｓａｆｅｎｓｉｓ）の寄託番号はＢＣＲＣ  ９１０７３５、前記枯草菌（Ｂａｃｉｌｌｕｓ  ｓｕｂｔｉｌｉｓ）の寄託番号はＮＩＴＥ  ＢＰ−０２１６９である。
【００１５】
このほか、本実施例で採用する少なくとも１つの菌粉のリン溶解菌は、
0006291005.tif 000002
からその製品「リン溶解菌-菌専家」（肥製（生）字第０４７３０２１号）を購入して得たものが使用されている。
【００１６】
本発明の実施例は、いくつかの肥料の施用方法も提供する。図１に示した本発明の施用方法の工程を示すフローチャートを参照する。まず、第１植物体を生育する工程（ａ１）を実行する。前記第１植物体はアブラナ属（Ｂｒａｓｓｉｃａ）の植物体であり、さらに説明すると、前記アブラナ属（Ｂｒａｓｓｉｃａ）の植物体は小松菜（Ｂｒａｓｓｉｃａ  ｒａｐａ  ｃｈｉｎｅｎｓｉｓ）である。
【００１７】
工程（ａ１）において、小松菜は種の段階から生育を開始し、植物体が定植に適した状態になるまで生長させた後、泥炭土を入れた鉢に前記第１植物体を定植する工程（ａ２）を実行する。本実施例において、前記泥炭土は
0006291005.tif 000003
の満地王介質製品（肥料登記証：肥進（輔）字第０５５１００５号）を使用して実施することができるが、本発明はこれに限らない。
【００１８】
定植が完了したら、元肥を施用する工程（ａ３）を実行する。本実施例において、前記元肥は水で２０００倍に希釈した後、各鉢に１００ミリリットルを施用する。前記元肥は
0006291005.tif 000004
が生産する台肥４３号即溶複合肥料（肥製（複）字第０４６５０１０号）を使用して実現することができる。
【００１９】
最後に、肥料を施用する工程（ａ４）を実行する。工程（ａ４）中の肥料は即ち前述で言及した本発明の実施例に記載した肥料であり、前記肥料の施用方式は、水溶液で希釈する等の方式を用いて各鉢に施用することができ、本発明はその施用方式を制限しない。
【００２０】
本実施例の施用方法が効果的に小松菜の生長を促進することを証明するため、小松菜を５つのグループに分けて試験を実施した。グループ分け、試験条件、及び試験結果を下の表１に示す。
【００２１】
【表１】
0006291005.tif 000005
【００２２】
表１において、施用期間は３週間であり、収穫後に新鮮重量（Ｆｒｅｓｈ  Ｗｅｉｇｈｔ、ＦＷ）を基準として測定した。この新鮮重量とは新鮮な活きた植物を採集した後すぐに測定した重量を指す（グラム単位）。
【００２３】
Ｄ１グループは対照グループであり、つまり本実施例の施用方法を実施する途中で、工程（ａ４）においていかなる肥料または添加剤も施用せず、水を与えたのみであることを意味する。Ｄ２グループは本実施例の施用方法の途中で、工程（ａ４）を硫酸カルシウムのみの添加に変えている。
【００２４】
残りのＤ３、Ｄ４、Ｄ５グループは、本実施例の施用方法を実施する途中で、工程（ａ４）で前述の実施例の肥料を施用するとき、少なくとも１つのリン溶解菌のコロニー形成単位（Ｃｏｌｏｎｙ−Ｆｏｒｍｉｎｇ  Ｕｎｉｔ、ＣＦＵ）量を調整しており、前記３グループは順に２.２×１０７ＣＦＵ／ｇ、５.５×１０７ＣＦＵ／ｇ及び２.５×１０６ＣＦＵ／ｇを実施し、かつ少なくとも５ｇ／鉢（ｇ／ｐｏｔ）の肥料吸収効率を達している。
【００２５】
最後の結果から分かるように、Ｄ１及びＤ２グループと比較して、コロニー形成単位（Ｃｏｌｏｎｙ−Ｆｏｒｍｉｎｇ  Ｕｎｉｔ、ＣＦＵ）量が２.２×１０７ＣＦＵ／ｇ（Ｄ３グループ）、５.５×１０７ＣＦＵ／ｇ（Ｄ４グループ）のとき、小松菜の生長を効果的に促進することができた。
【００２６】
続いて同時に図２と図５を参照する。図２は本発明の別の施用方法の工程を示すフローチャート、図５は本発明の別の試験の結果図である。図２に示すように、本実施例において、肥料の施用方法は、第２植物体を生育する工程（ｂ１）と、前述の肥料を田畑土壌にすき込む工程（ｂ２）と、前記第２植物体を前記田畑土壌に定植する工程（ｂ３）を含む。
【００２７】
工程（ｂ１）において、前記第２植物体はナス属（Ｓｏｌａｎｕｍ）の植物体である。さらに説明すると、ナス属（Ｓｏｌａｎｕｍ）の植物体はトマト（Ｓｏｌａｎｕｍ  ｌｙｃｏｐｅｒｓｉｃｕｍ）である。かつ工程（ｂ３）の定植の２日後、さらに第１追肥を実施する。
【００２８】
図２に示す施用方法が栽培に卓越した効果を備えることを証明するために、本実施例は実際の施用試験で証明する。まず、第２植物体、即ちトマト（Ｓｏｌａｎｕｍ  ｌｙｃｏｐｅｒｓｉｃｕｍ）を生育する工程（ｂ１）を実行する。本実施例は１平方メートルの畑に種を植えたため、まず適量の第２植物体をトマト苗（Ｓｅｅｄｌｉｎｇ）の状態まで生育させる。
【００２９】
続いて定植の前に、前述の肥料を田畑土壌にすき込む工程（ｂ２）を実行する。前述のように、本実施例及び前述の肥料が卓越した効果を備えることを証明するために、特別に好石灰植物であるトマト（Ｓｏｌａｎｕｍ  ｌｙｃｏｐｅｒｓｉｃｕｍ）に対して実施し、このため、工程（ｂ２）の実行時は試験をＴ１グループ（対照グループ、いかなる肥料も施用せず、切り返して水をやったのみ）、Ｔ２グループ（硫酸カルシウムのみすき込み）、Ｔ３グループ（本実施例の前述の肥料をすき込み）の３グループに分けた。
【００３０】
工程（ｂ２）において、Ｔ２グループにすき込んだ従来のカルシウム肥料及びＴ３グループにすき込んだ前述の肥料の重量は等しく、かつ１００グラム／個の一定比率で土中にすき込んだ。最後に、前記第２植物体を前記田畑土壌に定植する工程（ｂ３）を実行した。
【００３１】
このほか、定植の２日後に第１追肥を施用した。本実施例における第１追肥は王馬企業有限公司の生産する獅馬牌藍肥（ニトロホスカ（登録商標）、１２−１２−１７）であり、８０グラム／個の比率で施用した。
【００３２】
続いて、３週間後に収穫した。本試験において、各グループに対して前述の工程を７回繰り返し、各繰り返しでの開花時に花序を測定し、収穫時に新鮮重量及びブリックス糖度（Ｄｅｇｒｅｅｓ  Ｂｒｉｘ、°Ｂｘ）を測定した。収穫できなかった場合０グラムで表示している。結果を下の表２に記載する。
【００３３】
【表２】
0006291005.tif 000006
【００３４】
このため、表２の結果データから分かるように、Ｔ３グループ（本実施例の前述の肥料を施用）は、Ｔ１グループ及びＴ２グループと比較して、同じ時間内の開花数量及び第２植物体の生産量を効果的に高めることができる。かつ、図５に示すように、同一時間点でＴ２グループ（従来のカルシウム肥料を施用）とＴ３グループを写真で比較すると、本実施例の前述の肥料を施用したＴ３グループのトマトＥはすでに果を結んでおり、Ｔ２グループのトマトＤはまだ開花の状態に留まっていることがはっきり分かり、本実施例の肥料及びその施用方法が備える進歩性が見て取れる。
【００３５】
このほか、本実施方式はさらに別の施用方法も提供する。同時に図３と図４を参照する。図３に示すように、本施用方法は、次の工程を含む。まず、温室設備を設置した畑に元肥を施す工程（ｃ１）を実行し、続いて、前記畑に第３植物体を播種する工程（ｃ２）を実行する。
【００３６】
さらに、前記第３植物体の発芽前に１回前述の肥料を施す工程（ｃ３）を実行し、最後に前記第３植物体の生長期に第２追肥を施す工程（ｃ４）を実行する。
【００３７】
本施用方法における第３植物体は空心菜（Ｉｐｏｍｏｅａ  ａｑｕａｔｉｃａ）である。このほか、前述の表１及び表２に記載した施用方法と同じく、本実施例の施用方法が卓越した効果を備えることを証明するために、同様に試験の方式で証明する。
【００３８】
まず、温室設備を設置した畑に元肥を施す工程（ｃ１）を実行する。本実施例の施用方法において、前記温室設備はビニールハウスとすることができ、その被覆する畑の面積は一区画（９６９.９２平方メートル）で、かつ畑は高温蒸気処理を経た土壌（三期毎に１回蒸気処理を使用）を採用し、施す元肥には
0006291005.tif 000007
が生産する台肥３９号有機質複合肥料（肥製（複）字第０１９４００３号）８０ｋｇ及び有機肥料２４０ｋｇを選択し、土を耕すときに施す。前記有機肥料は任意の有機肥料とすることができ、本発明はこれによって制限されない。
【００３９】
続いて、前記畑に第３植物体を播種する工程（ｃ２）を実行する。前記第３植物体は空心菜（Ｉｐｏｍｏｅａ  ａｑｕａｔｉｃａ）である。続いて前記第３植物体の発芽前に１回前述の肥料を施す工程（ｃ３）を実行する。
【００４０】
このとき、本実施例の肥料の施用方法が作物の栽培品質を高める効果を備えることを証明するために、第３植物体をＶ１グループ（従来のカルシウム肥料を施用）とＶ２グループ（前述の肥料を施用）の２グループに分けて処理した。本施用方法において、工程（ｃ３）で施用する従来のカルシウム肥料及び前述の肥料はいずれも定量５０ｋｇとした。
【００４１】
続いて、空心菜（Ｉｐｏｍｏｅａ  ａｑｕａｔｉｃａ）の生長期において、前記第３植物体の生長期に第２追肥を施す工程（ｃ４）を実行した。前記第２追肥は
0006291005.tif 000008
が生産する台肥５号複合肥料（肥製（複）字第０１９４００５号）８０ｋｇとすることができる。
【００４２】
作期の２２日後に収穫し、新鮮重量を標準として、最後に得られた結果を下の表３に示す。
【００４３】
【表３】
0006291005.tif 000009
【００４４】
本施用方法の試験結果を強調するため、図４に空心菜Ａ（一般方法で栽培、肥料の施用なし）、空心菜Ｂ（Ｖ１グループで栽培）、空心菜Ｃ（Ｖ２グループで栽培）の結果を示す。
【００４５】
空心菜ＡまたはＶ１グループの空心菜Ｂの結果と比較して、Ｖ２グループの空心菜Cは植物体が強壮で、茎が太く、葉も厚みがあり、かつ生産量がＶ１グループと比較しても約２５％明らかに増加した。このほか、本施用方法は台湾の冬の温室で栽培され、空心菜は毎昨期約２２日という非常に短い期間で収穫しており、さもなければ施用試験の生産量の差はより大きくなった。
【００４６】
このほか、Ｖ２グループの空心菜Ｃは葉が黄色化する現象がなく、空心菜A及びV１グループの空心菜Bは茎下部の葉が明らかに黄色化しており、このことから本実施例及び施用方法は土壤の塩積による作物の生長障害を改善する機能を備えていることが証明でき、本実施例の肥料及び施用方法の進歩性が見て取れる。
【００４７】
以上の説明は、本発明の最良の実施例に基づくものであり、これらを以って本発明の実施の範囲を限定することはできず、本発明の特許請求の範囲及び明細書の内容に基づいた簡単な同等効果の変化や修飾はすべて本発明の範囲内に含まれる。
【符号の説明】
【００４８】
ａ１〜ａ４  工程
ｂ１〜ｂ３  工程
ｃ１〜ｃ４  工程
Ａ     空心菜
Ｂ     空心菜
Ｃ     空心菜
Ｄ     トマト
Ｅ     トマト
【受託番号】
【００４９】
国内寄託情報［寄託機構、日付、番号の順序で記載のこと］
バチルスサフェンシス菌（Ｂａｃｉｌｌｕｓ  ｓａｆｅｎｓｉｓ）：
寄託国：中華民国（台湾）
寄託機構：財団法人  食品工業発展研究所
寄託日：西暦２０１６年０７月１４日
寄託番号：ＢＣＲＣ ９１０７３５
枯草菌（Ｂａｃｉｌｌｕｓ  ｓｕｂｔｉｌｉｓ）：
寄託国：日本
寄託機構：独立行政法人製品評価技術基盤機構  特許微生物寄託センター、ＮＩＴＥ  Ｐａｔｅｎｔ  Ｍｉｃｒｏｏｒｇａｎｉｓｍｓ  Ｄｅｐｏｓｉｔａｒｙ（ＮＰＭＤ）
寄託日：西暦２０１５年１２月３日
寄託番号：ＮＩＴＥ  ＢＰ−０２１６９
【図１】
0006291005.tif 000010
【図２】
0006291005.tif 000011
【図３】
0006291005.tif 000012
【図４】
0006291005.tif 000013
【図５】
0006291005.tif 000014
【配列表】
0006291005000001.app